(57)【要約】【課題】騒音を低減することのできる換気装置を提供することを目的とする。【解決手段】本体８に設けられたフレーム部４の外周に装着される形状で前面はパネル９により閉鎖され、左右の側面１０と上面１１に通気口１２を設けたグリル１３と、通気口１２に設けられるシャッター１４とを設け、シャッター１４の閉鎖時はグリル１３の枠面に沿うように通気口１２を閉鎖し、開放時にはグリル１３の枠面に対し略垂直状に可動し、通気口１２を開放することにより、給気流を整流することができ騒音を低減することのできる換気装置が得られる。【選択図】  図１
2004293864.tif 000002
【特許請求の範囲】
【請求項１】
壁部に設けた換気口に装着される筒状で、室内側に外方に向けて突出する方形のフレーム部を備えた本体と、この本体のフレーム部の外周に装着される枠状で、前面はパネルにより閉鎖され、左右の側面または上面には通気口を設けたグリルと、前記通気口に設けられるシャッターとを備え、前記シャッターは、グリルの外側に設けた操作部の操作により閉鎖時はグリルの枠面に沿うように前記通気口を閉鎖し、開放時にはグリルの枠面に対し略垂直状に可動し、前記通気口を開放する構成とした換気装置。
【請求項２】
シャッターを複数枚のシャッター板により構成した請求項１記載の換気装置。
【請求項３】
パネルの周端部およびグリルの枠状部より操作部が突出しないように通気口の設けられる左右の側面または上面を凹ませて形成した請求項１記載の換気装置。
【請求項４】
シャッターの開放時には複数枚のシャッター板を斜め前方に向け開放する構成とした請求項１または２記載の換気装置。
【請求項５】
シャッターは、開放時には複数枚のシャッター板をグリルの内方側に向け開放する構成とした請求項１、２または４記載の換気装置。
【請求項６】
シャッターは、開放時には複数枚のシャッター板をグリルの外方側に向け開放する構成とした請求項１、２または４記載の換気装置。
【発明の詳細な説明】
【０００１】
【発明の属する技術分野】
本発明は、壁部に設けた換気口に装着される形状で室内側にグリルを設けた給気用の換気装置に関する。
【０００２】
【従来の技術】
従来のこの種の換気扇においては、本体に設けられるグリルに、周壁に吹出方向が互いに異なる複数の吹出口を設け、各吹出口の内側には外側からのつまみのスライド操作により吹出口を全閉から全開までに調節できるスライドシャッターを設けている（例えば、特許文献１参照。）。
【０００３】
【特許文献１】
特開平９−９６４３２号公報（［００３３］、［００３４］、および図３）
【０００４】
【発明が解決しようとする課題】
このような従来の換気扇では、シャッターをスライド方式としているため、限られたグリルの厚みに対して開口部の面積を大きくすることができない。そのため開口部の面積はグリル側面および上面の面積に対して非常に小さいものであり、グリルの圧損が大きく騒音が増加するという課題があった。
【０００５】
また、シャッターをスライド方式としているため給気流方向を整流できず、給気流により天井面や壁面に汚れが発生するという課題があった。
【０００６】
また、スライドシャッターをスライド操作するつまみがグリルの表面より突出しているため、製作時、梱包時、施工時等につまみに接触する度合が高く、つまみが誤動作するという課題があった。
【０００７】
本発明は、上記課題を解決するもので、騒音を低減することができ、また、壁面や天井面の汚れを軽減できる換気装置を提供することを目的とする。
【０００８】
【課題を解決するための手段】
前記課題を解決するために、本発明の換気装置は、壁部に設けた換気口に装着される筒状で、室内側に外方に向けて突出する方形のフレーム部を備えた本体と、この本体のフレーム部の外周に装着される枠状で、前面はパネルにより閉鎖され、左右の側面または上面には通気口を設けたグリルと、前記通気口に設けられるシャッターとを備え、前記シャッターは、グリルの外側に設けた操作部の操作により閉鎖時はグリルの枠面に沿うように前記通気口を閉鎖し、開放時にはグリルの枠面に対し略垂直状に可動し、前記通気口を開放する構成としたものである。
【０００９】
また、本発明の換気装置は、シャッターを複数枚のシャッター板により構成したものである。
【００１０】
また、本発明の換気装置は、パネルの周端部およびグリルの枠状部より操作部が突出しないように通気口の設けられる左右の側面または上面を凹ませて形成したものである。
【００１１】
また、本発明の換気装置は、シャッターの開放時には複数枚のシャッター板を斜め前方に向け開放する構成としたものである。
【００１２】
また、本発明の換気装置は、シャッターは、開放時には複数枚のシャッター板をグリルの内方側に向け開放する構成としたものである。
【００１３】
また、本発明の換気装置は、シャッターは、開放時には複数枚のシャッター板をグリルの外方側に向け開放する構成としたものである。
【００１４】
【発明の実施の形態】
請求項１に記載の発明は、壁部に設けた換気口に装着される筒状で、室内側に外方に向けて突出する方形のフレーム部を備えた本体と、この本体のフレーム部の外周に装着される枠状で、前面はパネルにより閉鎖され、左右の側面または上面には通気口を設けたグリルと、前記通気口に設けられるシャッターとを備え、前記シャッターは、グリルの外側に設けた操作部の操作により閉鎖時はグリルの枠面に沿うように前記通気口を閉鎖し、開放時にはグリルの枠面に対し略垂直状に可動し、前記通気口を開放する構成としたことにより、通気口の開口部の面積を大きくすることができるので圧損を下げて騒音を低減できるとともに、シャッターがグリルの枠面に対して略垂直状に可動するので通気口の開口部から吹き出される給気流を整流して騒音を低減することができるという作用を有する。
【００１５】
請求項２記載の発明は、特に請求項１記載の換気装置について、シャッターを複数枚のシャッター板により構成したことにより、シャッターの開放時のシャッター板の突出量を小さくしてグリル内部の空間を大きくとることができ、例えばフィルターなどの内容物を収納する空間を確保できるという作用を有する。
【００１６】
請求項３記載の発明は、特に請求項１記載の換気装置について、パネルの周端部およびグリルの枠状部より操作部が突出しないように通気口の設けられる左右の側面または上面を凹ませて形成したことにより、操作部が何かに接触する度合いが少なくなり、使用者等の意に反して操作部が誤動作することを防止できるという作用を有する。
【００１７】
請求項４記載の発明は、特に請求項１または２記載の換気装置について、シャッターの開放時には複数枚のシャッター板を斜め前方に向け開放する構成としたことにより、室内への給気流によって壁面および天井面が汚れるのを軽減することができるという作用を有する。
【００１８】
請求項５記載の発明は、特に請求項１、２または４記載の換気装置について、シャッターは、開放時には複数枚のシャッター板をグリルの内方側に向け開放する構成としたことにより、シャッターの閉鎖時に強い外風をうけた場合にシャッター板はその閉鎖方向に風圧を受けるので換気装置の外風に対する密閉性が高くなるという作用を有する。
【００１９】
請求項６記載の発明は、特に請求項１、２または４記載の換気装置について、シャッターは、開放時には複数枚のシャッター板をグリルの外方側に向け開放する構成としたことにより、給気流の吹き出しを整流するとともに、グリル内部の空間を大きくとることができるので、換気装置の騒音を低減することができるという作用を有する。
【００２０】
以下、本発明の実施の形態について図１〜図８を参照しながら説明する。
【００２１】
（実施の形態１）
図１〜図４に示すように、壁部１に設けた換気口２に装着される筒状部３の室内側に外方に向け突出する方形のフレーム部４を設け、筒状部３内にファン５が位置するようにモータ６をフレーム部４に取り付けたファンモータ７を内蔵した本体８を設け、本体８のフレーム部４の外周に装着される枠状で前面はパネル９により閉鎖され、左右の側面１０または上面１１に通気口１２を設けたグリル１３を設け、通気口１２に設けられるシャッター１４を複数枚のシャッター板１５により形成し、シャッター板１５の両端の片側寄りに軸１６を設け、通気口１２の側部のグリル１３の内面に設けた軸受部１７に軸１６を介してシャッター板１５を回動自在に設け、グリル１３の外側に移動自在に設けられる操作部であるレバー１８とともに移動する駆動部１９をグリル１３の内面側に設け、駆動部１９に連結された駆動体２０をシャッター板１５に係合するシャッター開閉機構２１を設け、レバー１８の操作によりシャッター１４の閉鎖時にはグリル１３の枠面にシャッター板１５が沿うように可動して通気口１２を閉鎖し、シャッター１４の開放時にはグリル１３の枠面に略垂直状にシャッター板１５が可動し、通気口１２を開放するように設け、パネル９の周端部９ａおよびグリル１２の枠状部１３ａよりレバー１８が突出しないように通気口１２の設けられる左右の側面１０または上面１１を凹ませて形成する。
【００２２】
そして、フィルター部材２２をジグザグ状に形成したフィルター２３を環状に形成し、内面にスポンジ板２４の貼付けたパネル９の内面に、グリル１３側に突出するように設けられた取付部２５にフィルター２３を係合し、略方形状にグリル１３内に配設した構成とする。
【００２３】
上記構成において、給気を目的とする換気を行う場合には、レバー１８を操作しシャッター開閉機構２１を介して複数枚のシャッター板１５をグリル１３の枠面に略垂直状に可動し、通気口１２を開放したのち、換気装置を運転すると、ファンモータ７が駆動し室外２６の空気が本体８内に給気され、グリル１３内に方形状に設けたフィルター２３を通り、室外２６の空気中に含まれる塵埃等が除去され、浄化された空気が開放されたシャッター板１５により整流された状態で通気口１２より室内２７に放散されて給気される。
【００２４】
そして、暴風雨や給気の必要のないときには、ファンモータ７の運転を停止し、レバー１８を操作し、レバー１８と連動する駆動部１９の移動によりシャッター開閉機構２１を介してシャッター板１５がグリル１３の枠面に沿うように通気口１２を閉鎖し、室外２６の空気が室内２７に給気されないようにする。
【００２５】
このように本発明の実施の形態１の換気装置によれば、壁部１に設けた換気口２に装着される筒状で、室内側に外方に向けて突出する方形のフレーム部４を設けた本体８と、この本体８のフレーム部４の外周に装着される枠状で前面はパネル９により閉鎖され、左右の側面１０または上面１１に通気口１２を設けたグリル１３と、通気口１２に設けられるシャッター１４とを備え、シャッター１４はグリル１３の外側に設けたレバー１８の操作により、閉鎖時はグリル１３の枠面に沿うように通気口１２を閉鎖し、開放時にはグリル１３の枠面に対し略垂直状に可動し、前記通気口１２を開放する構成としたので、グリル１３の側面１０または、上面１１に設けられる通気口１２の開口部の面積を大きくすることができるため、圧損を下げられ騒音を低減できるとともに、通気口１２には給気流の障害となるような格子がなく、シャッター１４により給気流の整流することができ騒音を低減することができる。
【００２６】
また、シャッター１４を複数枚のシャッター板１５により構成したので、シャッター板１５が開放されたときの寸法が小さくでき、フィルター２３を装着する空間を大きくとることができるため、低圧損なフィルター２３を装着することが可能となり、騒音を低減することができる。
【００２７】
また、パネル９の周端部９ａおよびグリル１３の枠状部１３ａよりレバー１８が突出しないように通気口１２の設けられる左右の側面１０および上面１１を凹ませて形成したので、製作時、梱包時、施工時等において、レバー１８に接触する度合が少なくなり、レバー１８が何かに接触し動いて誤動作することを防止することができる。
【００２８】
なお、実施の形態１では、ファンモータ７を設けた強制給気の換気装置について説明したが、図５に示すように、ファンモータを設けていない自然給気の換気装置としても同様の作用効果をもたらすことはいうまでもない。
【００２９】
（実施の形態２）
図６に示すように、グリル１３Ａの通気口１２Ａに設けたシャッター１４Ａの開放時に複数枚のシャッター板１５Ａを斜め前方に向け開放する構成とする。
【００３０】
上記構成において、換気装置を運転すると、室外空気筒状部３内に給気され、グリル１３Ａに設けたシャッター板１５Ａの面に沿い通気口１２Ａから斜め前方に吹き出されることとなり、天井面や壁面に向かい送風されることがなくなる。
【００３１】
このように本発明の実施の形態２の換気装置によれば、グリル１３Ａに設けた通気口１２Ａに設けられるシャッター１４Ａの開放時に、複数枚のシャッター板１５Ａを斜め前方に向け開放するので、給気流は通気口１２Ａから天井面や壁面に向け送風されることがなくなり、天井面や壁面の汚れるのを防止することができる。
【００３２】
（実施の形態３）
図７に示すように、グリル１３Ｂの通気口１２Ｂに設けたシャッター１４Ｂの開放時に複数枚のシャッター板１５Ｂをグリル１３Ｂの内方側に向け開放される構成とする。
【００３３】
上記構成において、換気装置を運転すると給気流がグリル１３Ｂの内側から通気口１２Ｂを通り室内に放散される。このとき、シャッター板１５Ｂをグリル１３Ｂの内方側に開放していることにより、給気流はシャッター板１５Ｂの面により整流される。
【００３４】
このように本発明の実施の形態３の換気装置によれば、グリル１３Ｂの通気口１２Ｂに設けたシャッター１４Ｂの開放時の複数枚のシャッター板１５Ｂをグリル１３Ｂの内方側に向け開放される構成としたので、シャッター板１５Ｂにより給気流が整流され、騒音が低減できるとともに、外風を受けたときにシャッター板１５Ｂは閉鎖方向に風圧を受けることとなり、外風に対する密閉性を高めることができる。
【００３５】
（実施の形態４）
図８に示すように、グリル１３Ｃの通気口１２Ｃに設けたシャッター１４Ｃの開放時に複数枚のシャッター板１５Ｃをグリル１３Ｃの外方側に向けて開放させる構成とする。
【００３６】
上記構成において、換気装置を運転すると、給気流がグリル１３Ｃの内側から通気口１２Ｃを通り室内に放散される。このとき、シャッター板１５Ｃはグリル１３Ｃの外方側に向け開放していることにより、給気流はシャッター板１５Ｃの面により整流される。
【００３７】
このように本発明の実施の形態４の換気装置によれば、グリル１３Ｃの通気口１２Ｃに設けたシャッター１４Ｃの開放時に複数枚のシャッター板１５Ｃをグリル１３Ｃの外方側に向け開放させる構成としたので、シャッター板１５Ｃの面により給気流が整流されることとなるとともに、フィルター２３を装着する空間を大きく形成することができ、低圧損のフィルター２３を装着することができ、騒音を低減することができる。
【００３８】
【発明の効果】
以上のように、本発明の換気装置によれば、壁部に設けた換気口に装着される筒状で、室内側に外方に向けて突出する方形のフレーム部を設けた本体と、この本体のフレーム部の外周に装着される枠状で、前面はパネルにより閉鎖され、左右の側面または上面には通気口を設けたグリルと、前記通気口に設けられるシャッターとを備え、前記シャッターは、グリルの外側に設けた操作部の操作により、閉鎖時はグリルの枠面に沿うように前記通気口を閉鎖し、開放時にはグリルの枠面に対し略垂直状に可動し、前記通気口を開放する構成としたので、騒音を低減できる換気装置を提供することができる。
【００３９】
また、シャッターを複数枚のシャッター板により構成したので、グリル内部の空間を大きくとることができる。
【００４０】
また、パネルの周端部およびグリルの枠状部より操作部が突出しないように通気口の設けられる左右の側面および上面を凹ませて形成したので、非操作時に操作部に接触する度合を少なくしてシャッター開閉の誤動作を少なくすることができる。
【００４１】
また、シャッターの開放時には複数枚のシャッター板を斜め前方に向け開放する構成としたので、壁面および天井面の汚れを軽減することができる。
【００４２】
また、シャッターは、開放時には複数枚のシャッター板をグリルの内方側に向け開放する構成としたので、外風に対する密閉性を向上することができる。
【００４３】
また、シャッターは、開放時には複数枚のシャッター板をグリルの外方側に向け開放させる構成としたので、グリル内部の空間を大きくすることができ、騒音を低減することができる。
【図面の簡単な説明】
【図１】本発明の実施の形態１の換気装置のシャッター開放時の状態を示す断面図
【図２】同換気装置のシャッター閉鎖時の状態を示す側面図
【図３】同換気装置のグリルの内部を示す斜視図
【図４】同換気装置のフィルターをグリルに装着した状態を示すグリルの背面図
【図５】同換気装置の他の例を示す断面図
【図６】本発明の実施の形態２の換気装置の斜視図
【図７】本発明の実施の形態３のシャッターの状態を示すグリル部分の拡大断面図
【図８】本発明の実施の形態４のシャッターの状態を示すグリル部分の拡大断面図
【符号の説明】
１          壁部
２          換気口
４          フレーム部
８          本体
９          パネル
９ａ        周端部
１０        側面
１１        上面
１２        通気口
１２Ａ      通気口
１２Ｂ      通気口
１２Ｃ      通気口
１３        グリル
１３Ａ      グリル
１３Ｂ      グリル
１３Ｃ      グリル
１３ａ      枠状部
１４        シャッター
１４Ａ      シャッター
１４Ｂ      シャッター
１４Ｃ      シャッター
１５        シャッター板
１５Ａ      シャッター板
１５Ｂ      シャッター板
１５Ｃ      シャッター板
１８        レバー
【図１】
2004293864.tif 000003
【図２】
2004293864.tif 000004
【図３】
2004293864.tif 000005
【図４】
2004293864.tif 000006
【図５】
2004293864.tif 000007
【図６】
2004293864.tif 000008
【図７】
2004293864.tif 000009
【図８】
2004293864.tif 000010